(57)【特許請求の範囲】
【請求項１】
暖房用熱交換器と内部循環ポンプを組み合わせることで、暖房用の熱源としても用いられる給湯用熱交換器と、追焚き用熱交換器と、前記給湯用熱交換器の受熱部と前記追焚き用熱交換器の受熱部を直列的に同時に加熱する燃焼機と、浴槽と、循環ポンプと、前記循環ポンプを循環手段として前記浴槽と前記追焚き熱交換器により形成され常時連通した状態の追焚き循環回路と、前記給湯用熱交換器で加熱した温水を前記追焚き循環回路に流入させる湯張り路と、前記湯張り路は前記追焚き循環回路に連通する前で分岐しており、分岐した一方の湯張り路が前記追焚き用熱交換器と前記循環ポンプとの間に連通し、分岐した他方の湯張り路は前記循環ポンプが前記追焚き用熱交換器の下流側に設けられている場合は前記追焚き用熱交換器の上流側に連通し、前記循環ポンプが前記追焚き用熱交換器の上流側に設けられている場合は前記追焚き用熱交換器の下流側に連通しており、前記追焚き用熱交換器の上流側に連通する湯張り路には湯張りの流れの向きとは逆の向きには流さない逆流防止手段が設けられている給湯機。
【請求項２】
前記給湯用熱交換器で行われる加熱は、外部熱源を必要とする加熱手段で加熱された温水を蓄熱する貯湯タンクに対する補助熱源として用いられる請求項１記載の給湯機。
【発明の詳細な説明】
【技術分野】
【０００１】
本発明は、給湯用熱交換器の受熱部と追焚き用熱交換器の受熱部を直列的に同時に加熱する液体燃料または気体燃料の燃焼機を備える給湯機で、追焚き用熱交換器による追焚き機能のための追焚き循環回路を有し、給湯用熱交換器で加熱した温水を追焚き循環回路に連通する湯張り路を通じ供給する機能を有した給湯機に関する。
【背景技術】
【０００２】
従来、液体燃料または気体燃料の燃焼機を備え、浴槽内に張ったお湯が冷めた場合に追焚きする機能を有した給湯機には、追焚き機能を構成する追焚き循環回路を通じて、給湯側のお湯を直接浴槽に入れる、所謂湯張り機能を有する給湯機があった。
【０００３】
給湯機の給湯用の熱交換器を通過する湯水は台所や洗面所等で利用されるので、給湯用の熱交換器に水道水以外の湯水が混入することは衛生上好ましくなく、浴槽内の湯水が通過する追焚き用の熱交換器と給湯用の熱交換器とは分離されている必要があった。
【０００４】
給湯用の熱交換器と追焚き用の熱交換器を分離し、これを燃焼機により加熱する場合に、大きく分けると以下の方式があった。給湯用の熱交換器と追焚き用熱交換器の夫々を別々の燃焼機で加熱するもの（特許文献１）と、給湯用の熱交換器と追焚き用熱交換器を一つの燃焼機で同時に加熱するものである。そして、一つの燃焼機で加熱するものには、給湯用の熱交換器の内部に、間接的に加熱される熱交換器を設け、これを追焚き用の熱交換器として利用するもの（特許文献２）と、給湯用の熱交換器の受熱部と追焚き用の熱交換器の受熱部を直列的に同時に一つの燃焼機で加熱するもの（特許文献３）があった。
【０００５】
給湯用の熱交換器と追焚き用熱交換器の夫々を別々の燃焼機で加熱する場合にあっては、部品点数の増加により、給湯機の容積的な面や費用的な面が増大するという問題があることや、一般的に給湯に比較して追焚きの使用量は少ないので、給湯機能をメインとして追焚き機能は補助的な使用で良いとの考え方があった。そこで、一つの燃焼機で給湯用の熱交換器と追焚き用熱交換器を同時に加熱する方式が様々考えられてきた。
【０００６】
給湯用の熱交換器の内部に、間接的に加熱される追焚き用の熱交換器を設け、一つの燃焼機で加熱する場合には、追焚き用の熱交換器の加熱は間接的なので、追焚き用の熱交換器内部を通過する湯水の水温よりも、給湯用の熱交換器の内部の水温の方をかなり高い温度にする必要があり、追焚き用の熱交換器での熱交換が開始するまでの応答性や、間接加熱での追焚き時の熱効率が悪いという問題があった。
【０００７】
そして、給湯用の熱交換器の受熱部と追焚き用の熱交換器の受熱部を直列的に同時に一つの燃焼機で加熱するものについては、追焚き時の応答性や熱効率に優れたものを提供できるものであった。
【先行技術文献】
【特許文献】
【０００８】
【特許文献１】特開２００４−２９３９２５号公報
【特許文献２】特開平７−２２５０５６号公報
【特許文献３】特開２００１−２８０６８９号公報
【発明の概要】
【発明が解決しようとする課題】
【０００９】
しかしながら、給湯用の熱交換器の受熱部と追焚き用の熱交換器の受熱部とを直列的に同時に一つの燃焼機で加熱するものについては、給湯と追焚きを同時に使用する場合は問題ないが、給湯または追焚きの一方だけを使用する場合には使用されない側の過熱を防止する手段が必要となっていた。
【００１０】
そして、追焚き循環回路に給湯用の熱交換器で加熱された湯を湯張り路から流す場合にあっては、追焚き循環回路の循環不良を防ぐためには循環ポンプに呼び水が簡単に出来る構成が必要であり、循環ポンプと追焚き用の熱交換器との間に湯張り路を設け湯張り時には循環ポンプに常時呼び水が出来る構成としており、この循環ポンプと追焚き用の熱交換器との間に設けた湯張り路から流入した温水が追焚き循環路の一部である追焚き用の熱交換器に戻って更に加熱され、過熱された高温の湯が湯張り路を接続してない側から浴槽に向かって流れるという問題があり、仮に入浴者があった場合には安全上好ましくない結果になる可能性があった。
【００１１】
さらには、給湯用の熱交換器を暖房用に利用する場合には、温水暖房器に高温の温水を循環させる必要があり、暖房使用時の給湯用の熱交換器の温度を常時高温とするため、追焚き用の熱交換器でも高温となるので、この状態で湯張りを行うと一層追焚き用の熱交換器で過熱されるという問題があった。
【課題を解決するための手段】
【００１２】
上記の課題を解決するため、本発明では、次の技術的手段が講じられている。
【００１３】
第１発明の給湯機は、暖房用熱交換器と内部循環ポンプを組み合わせることで、暖房用の熱源としても用いられる給湯用熱交換器と、追焚き用熱交換器と、前記給湯用熱交換器の受熱部と前記追焚き用熱交換器の受熱部を直列的に同時に加熱する燃焼機と、浴槽と、循環ポンプと、前記循環ポンプを循環手段として前記浴槽と前記追焚き熱交換器により形成され常時連通した状態の追焚き循環回路と、前記給湯用熱交換器で加熱した温水を前記追焚き循環回路に流入させる湯張り路と、前記湯張り路は前記追焚き循環回路に連通する前で分岐しており、分岐した一方の湯張り路が前記追焚き用熱交換器と前記循環ポンプとの間に連通し、分岐した他方の湯張り路は前記循環ポンプが前記追焚き用熱交換器の下流側に設けられている場合は前記追焚き用熱交換器の上流側に連通し、前記循環ポンプが前記追焚き用熱交換器の上流側に設けられている場合は前記追焚き用熱交換器の下流側に連通しており、前記追焚き用熱交換器の上流側に連通する湯張り路には湯張りの流れの向きとは逆の向きには流さない逆流防止手段が設けられている。
第２発明の給湯機は、請求項１記載の発明において、前記給湯用熱交換器で行われる加熱は、外部熱源を必要とする加熱手段で加熱された温水を蓄熱する貯湯タンクに対する補助熱源として用いられる。
【発明の効果】
【００１４】
以上のような、技術的手段が講じられていることにより、以下の効果を有する。
第１発明によれば、湯張り路は前記追焚き循環回路に連通する前で分岐しており、分岐した一方の湯張り路が追焚き用熱交換器と循環ポンプとの間に連通し、分岐した他方の湯張り路は前記循環ポンプが前記追焚き用熱交換器の下流側に設けられている場合は前記追焚き用熱交換器の上流側に連通し、前記循環ポンプが前記追焚き用熱交換器の上流側に設けられている場合は前記追焚き用熱交換器の下流側に連通しており、前記追焚き用熱交換器の上流側に連通する湯張り路には湯張りの流れの向きとは逆の向きには流さない逆流防止手段が設けられていることで、循環ポンプへの呼び水も可能で単位時間当たりの湯張り量も少なくなることはない状態であると同時に、追焚き用熱交換器内で過熱されることを防止できる。また、追焚き用熱交換器の上流側に連通する湯張り路には、湯張りの流れの向きとは逆の向きには流さない逆流防止手段が設けられていることで、循環ポンプが駆動する追焚き時に、追焚き用熱交換器を通過しない流路（バイパス流路）が形成されることはなく、追焚き時に追焚き時間が長くなる効率の悪い追焚きが行われることもない。特に給湯用熱交換器が暖房用の熱源として用いられる場合には、内部循環ポンプで給湯用熱交換器と暖房用熱交換器を循環する水温を高くする必要があり、それに伴って追焚き用熱交換器の温度が高くなっている時でも、湯張り時に追焚き用熱交換器の両側に湯張りされるので、その圧力によって追焚き用熱交換器内の水の流れがなくなる。その結果、湯張りされてない側から加熱された高温の湯が浴槽側に出ることはなく、仮に入浴者があった場合でも安全に入浴できる効果を有する。
第２発明によれば、第１発明を利用し、給湯用熱交換器で行われる加熱は、外部熱源を必要とする加熱手段で加熱された温水を蓄熱する貯湯タンクに対する補助熱源として用いられる場合には、給湯用熱交換器には高温水が供給されることとなる。高温水が供給されることで、より追焚き用熱交換器で高温の湯が浴槽に流れ込み易くなる条件の場合であっても、湯張り時に追焚き用熱交換器の両側に湯張りされるので、その圧力によって追焚き用熱交換器内の水の流れがなくなる。その結果、湯張りされてない側から加熱された高温の湯が浴槽側に出ることはなく、仮に入浴者があった場合でも安全に入浴できる効果を発揮することができる。
【図面の簡単な説明】
【００１５】
【図１】本発明に係る給湯機の概略説明図である。
【図２】本発明に係る別の実施例の給湯機の概略説明図である
【図３】本発明に係る給湯機を補助熱源として使用する場合の概略説明図である。
【発明を実施するための形態】
【００１６】
発明を実施するための形態について図１乃至図３に基づき具体的に説明する。
【実施例１】
【００１７】
（概略の構成）
図１における本発明の給湯機１は内部に制御基板１０、給湯用熱交換器２０、燃焼機２３、内部循環ポンプ３０、追焚き用熱交換器４０、暖房用熱交換器６０、循環ポンプ５０等を有している。給湯用熱交換器２０と追焚き用熱交換器４０は外見上一体となっており熱交換器部を形成し、燃焼機２３と組み合わされた状態で温水供給部１５を形成している。制御基板１０は、内部にＣＰＵを有しており予めプログラムされた内容により給湯機１の内部に有する温度センサーや流量検知器等の検知機器の検知信号に対応して燃焼機２３、内部循環ポンプ３０や循環ポンプ５０等の電源供給が必要な装置の駆動を制御している。給湯機１の外部には温水水栓４、床温水暖房装置や温水式エアーコンディショナー等の温水暖房装置５、浴槽６が給湯機１の外装に設けられた外部配管接続口に各種の外部配管を介して接続されている。
【００１８】
また、給湯機１の外部には遠隔操作装置（リモコン）１１が設けられている。遠隔操作装置１１は給湯機１の制御基板１０との間を有線または無線等により電気や光等の信号での通信を行うことで、使用者が給湯機１の各種機能の設定が可能なスイッチと、その設定状況や給湯機１の運転状況を確認できる表示部を有する。
【００１９】
給湯機１は、前記各構成部品の組み合わせにより、温水水栓４等に温水を供給する給湯機能を発揮する給湯機構、浴槽６との間で追焚き用熱交換器４０で加熱される温水を循環させて浴槽６内の湯水の風呂追焚きする追焚き機能を発揮する追焚き機構、浴槽６に直接温水を供給する湯張り機能を発揮する湯張り機構、温水暖房装置５との間において熱媒体を循環させて温水暖房装置５の熱源とすることができる暖房機能を発揮する暖房機構を有している。
【００２０】
（温水供給部）
給湯機１の前記各種機構の中心的な役割を有する温水供給部１５について説明する。温水供給部１５の熱交換器部は、給湯用熱交換器２０の受熱部と追焚き用熱交換器４０の受熱部が燃焼機２３で直列的に同時に加熱される所謂一缶二水路の熱交換器となっている。給湯用熱交換器２０と追焚き用熱交換器４０は熱伝導性の良い銅やステンレス鋼等の金属のパイプの周囲に、銅やステンレス鋼等の金属のフィンを設けて熱交換率を向上させたものとなっている。なお、熱交換器部の排気側にさらに潜熱回収用の熱交換器を設けて給湯時や追焚き時の熱効率を上げる実施方法も可能である。
【００２１】
給湯用熱交換器２０には通水される湯水の入口となる給湯熱交給水管２１と、出口となる給湯熱交給湯管２２が接続されている。また、給湯熱交給水管２１には、上流側から給湯流量検知器２４と給水温度センサー２５が、給湯熱交給湯管２２には給湯用熱交換器２０の通過加熱後の水温を検知する給湯温度センサー２７が設けられている。また、給湯用熱交換器２０の外部金属部表面には給湯用熱交換器２０と追焚き用熱交換器４０の過熱を検知する缶体温度センサー２６が設けられている。追焚き用熱交換器４０には、追焚き循環往き管４１と追焚き循環戻り管４２が接続されている。
【００２２】
燃焼機２３は、天然ガス（ＬＮＧ）やプロパンガス（ＬＰＧ）等の気体燃料や、灯油や重油等の液体燃料を給気側送風機により比較的狭い燃焼室内において高発熱量を発生させることができ、かつ発熱量が所定の範囲で無段階に調節できる燃料制御手段を有している。そして、燃焼機２３が燃焼することによって発生する燃焼熱を給湯用熱交換器２０の流路と追焚き用熱交換器４０の流路に通水された湯水が熱交換されて加熱される。なお、給湯用熱交換器２０及び追焚き用熱交換器４０の熱交換器部と燃焼機２３とは温水供給部１５として給湯機１の内部の一画に纏められている。
【００２３】
（給湯機構）
給湯機構を説明すると、温水供給部１５の給湯熱交給水管２１は外部配管を経由して水道に接続されており、給湯熱交給湯管２２は外部配管を経由して温水水栓４に接続されている。また、給湯熱交給湯管２２の途中において内部循環往き管２８が分岐しており、内部循環往き管２８は暖房用熱交換器６０と内部循環戻り管２９を経由して給湯熱交給水管２１に連接している。そして、内部循環往き管２８の途中には内部循環ポンプ３０が設けられていることで、給湯用熱交換器２０、給湯熱交給湯管２２、内部循環往き管２８、暖房用熱交換器６０、内部循環戻り管２９、給湯熱交給水管２１そして給湯用熱交換器２０に再び戻る内部循環回路が形成されている。また、給湯熱交給水管２１の途中で給水分岐管３８が分岐して給湯熱交給湯管２２の途中の温水混合機構３９に連通しており、温水混合機構３９で温水と水を混合させることができ、制御基板１０の制御により給湯温度を調節できる機構も備えている。
【００２４】
（追焚き機構）
追焚き機構を説明すると、追焚き循環往き管４１と追焚き循環戻り管４２は外部の配管を経由して浴槽６に設けられた循環接続金具７に連接されている。また、追焚き循環戻り管４２の途中には、追焚き温度センサー４４と追焚き水流スイッチ４５が設けられており、追焚き循環往き管４１の途中には循環ポンプ５０が設けられている。これにより、循環ポンプ５０を循環手段として、追焚き用熱交換器４０、追焚き循環往き管４１、循環接続金具７、浴槽６、循環接続金具７、追焚き循環戻り管４２から、再び追焚き用熱交換器４０に戻る追焚き循環回路４６が形成されている。
【００２５】
（湯張り機構）
湯張り機構を説明すると、温水供給部１５の給湯熱交給湯管２２の途中において、湯張り路３２が分岐しており、湯張り路３２も途中で第一の湯張り路３３と第二の湯張り路３４の二つに分岐している。第一の湯張り路３３は、追焚き循環往き管４１の追焚き用熱交換器４０と循環ポンプ５０の間に連接しており、第二の湯張り路３４は、追焚き循環戻り管４２の循環接続金具７と追焚き温度センサー４４の間に連接している。湯張り路３２の途中には、湯張り弁３１、湯張り流量検知器３６および二連逆流防止手段３７が設けられている。第二の湯張り路３４の途中には逆流防止手段３５が設けられている。なお、本実施例において逆流防止手段３５には逆止弁を用いている。湯張り機構の上流側には給湯熱交給湯管２２に設けられた湯水混合機構３９があり、湯水の混合による温水温度の制御も可能となっている。
【００２６】
追焚き循環回路には、追焚き循環往き管４１と追焚き循環戻り管４２に第一の湯張り路３３と第二の湯張り路３４が連接されていることで追焚き循環回路中の追焚き用熱交換器４０をバイパスする回路も形成されることになるが、第二の湯張り路３４の途中に湯張りの流れの向きとは逆の向きには流さない逆流防止手段３５が設けられていることにより、第二の湯張り路３４に循環ポンプ５０の駆動により生じる湯張りの流れの向きとは逆向きの流れが生じても逆流防止手段３５により遮断されており、基本的には追焚き用熱交換器４０をバイパスする回路とはならない。
【００２７】
なお、図１においては、逆流防止手段３５と並列にバイパス管４７を設ける構成としている。これは、湯張り運転が終了し、追焚き運転を開始する場合に、追焚き用熱交換器４０が加熱された状態となっており、追焚き用熱交換器４０の加熱された高温水がそのまま循環接続金具７から浴槽６に入れば、万一浴槽６内に入浴者がいた場合には安全上好ましくない場合もあり、バイパス管４７を設けることで、追焚き用熱交換器４０で加熱された高温水に浴槽６内の湯水を少量混ぜることで、入浴者の安全を図るようにしている。また、バイパス管４７の径は第二の湯張り路３４の径より細く、流路抵抗を持たせた回路となっている。
【００２８】
（暖房機構）
暖房機構は暖房用熱交換器６０を介して温水供給部１５の給湯用熱交換器２０で加熱される温水を熱源として温水暖房装置５に供給している。給湯用熱交換器２０で作られた湯は温水水栓４で衛生的に使用される必要があるので、暖房用熱交換器６０を介して温水暖房装置５を加熱するようにしている。暖房用温水と混ざらないよう暖房用熱交換器６０には二つの循環回路が接続され、二つの循環回路の間で熱交換するようになっている。一方の循環回路は内部循環ポンプ３０を駆動源として、給湯用熱交換器２０、給湯熱交給湯管２２、内部循環往き管２８、暖房用熱交換器６０、内部循環戻り管２９、給湯熱交給水管２１そして給湯用熱交換器２０に再び戻る内部循環回路であり、内部循環回路により加熱される側のもう一方の循環回路が、暖房循環ポンプ６４を駆動源として、暖房用熱交換器６０、暖房循環往き管６１、温水暖房装置５、暖房循環戻り管６２そして、再び暖房用熱交換器６０に戻る暖房循環回路である。暖房循環回路の循環流体は単に水でも良いが、好ましくは設置場所や構成部材の選択の巾が広がるプロピレングリコール等の不凍液に防錆剤を添加した液を用いる。
【００２９】
なお、図中において、暖房循環ポンプ６４は暖房循環戻り管６２の途中に設けているが、暖房循環往き管６１の側に設けてもよい。また、暖房循環往き管６１と暖房循環戻り管６２の給湯機１の外部に設けられる部分は外部配管により構成される。説明を簡略にするために図示を省略しているが暖房循環回路の途中には、循環流体の膨張、つまりは圧力上昇を吸収する為の膨張タンクと循環流体の補給のための補給用管を設けている。
【００３０】
燃焼機２３の送風機や燃料制御手段による燃焼の開始、燃焼量の調節及び燃焼の停止や、内部循環ポンプ３０、湯張り弁３１、湯水混合機構３９、循環ポンプ５０、暖房循環ポンプ６４等の駆動は、制御基板１０により制御されている。給湯流量検知器２４や湯張り流量検知器３６は通過する流量を検知し、追焚き水流スイッチ４５は循環したことを検知し、給水温度センサー２５、缶体温度センサー２６、給湯温度センサー２７および追焚き温度センサー４４は通過する液体等の温度を検知することができる。前記検知された流量や温度等は、パルスや電圧値等の信号として制御基板１０に入力されることで制御基板１０において対応する流量や温度等として判断される。
【００３１】
以上のように構成された給湯機１について動作を説明する。
【００３２】
（給湯運転）
給湯運転は外部の温水水栓４が開かれることで開始する。給湯熱交給水管２１が外部の水道管に接続されていることで、給湯用熱交換器２０、給湯熱交換器給湯管２２にも水道圧が加わっていることによる。温水水栓４が開かれたことは、給湯流量検知器２４により検知され、制御基板１０は内部循環ポンプ３０を駆動させると共に遠隔操作装置１１で設定された温度になるように給水温度センサー２５と給湯温度センサー２７の温度情報を元に燃焼機２３を制御する。温水水栓４が閉じられると、給湯流量検知器２４が、温水水栓４が閉じられたことを検知し、制御基板１０は、燃焼機２３の燃焼を停止させると共に、燃焼の停止から所定時間遅らせて内部循環ポンプ３０を停止させる。なお、温水水栓４が閉じられた場合に、内部循環ポンプ３０は駆動している為、給湯流量検知器２４で検知される流量変化は微少となり給湯流量検知器２４の精度を上げる必要があるので、給湯熱交給水管２１の内部循環戻り管２９と連接する箇所より上流側に、水流スイッチや水量センサーを設けて、これにより温水水栓４が閉じられたことを検知させても良い。
【００３３】
（追焚き運転）
風呂追焚き運転の動作について説明する。使用者が遠隔操作装置１１で風呂追焚きするよう入力した場合には、制御基板１０は循環ポンプ５０を駆動させる。循環ポンプ５０を駆動させた場合に、追焚き水流スイッチ４５が所定時間連続してＯＮ状態となっている場合には、制御基板１０は燃焼機２３の燃焼を開始させ、追焚き温度センサー４４の温度情報の元、遠隔操作装置１１で設定された追焚き温度まで燃焼を継続させる。追焚き水流スイッチ４５が所定時間連続してＯＮ状態とならない場合は、浴槽６に湯水が入ってないと判断し燃焼を開始せず、遠隔操作装置１１に警報の表示を行って追焚き運転を中止する。
【００３４】
（湯張り運転）
湯張り運転の動作について説明する。使用者が遠隔操作装置１１で湯張り運転をするよう入力した場合には、制御基板１０は湯張り弁３１を開くように制御する。湯張り弁３１が開くことで水道圧により湯張り弁３１を通過して湯張り路３２に水が流れる。水が流れたことは給湯流量検知器２４により検知され、制御基板１０は内部循環ポンプ３０を駆動させると共に遠隔操作装置１１で設定されたお湯張り温度になるように給水温度センサー２５と給湯温度センサー２７の温度情報を元に燃焼機２３を制御する。遠隔操作装置１１で設定されている湯張り量になったと湯張り流量検知器３６が検知すると制御基板１０は湯張り弁３１を閉じさせ、給湯流量検知器２４が湯張り弁３１を閉じたことを確認して、燃焼機２３の燃焼を停止させると共に、燃焼の停止から所定時間遅らせて内部循環ポンプ３０を停止させる。なお、湯張り弁３１が閉じられた場合に、内部循環ポンプ３０は駆動している為、給湯流量検知器２４で検知される流量変化は微少となり給湯流量検知器２４の精度を上げる必要があるので、湯張り弁３１を閉じる制御を行ったことで湯張り弁３１が閉じられたとみなす制御や、給湯熱交給水管２１の内部循環戻り管２９と連接する箇所より上流側に、水流スイッチや水量センサーを設けて、これにより湯張り弁３１が閉じられたことを検知させても良い。
【００３５】
なお、湯張り路３２に流れる湯は、第一の湯張り路３３から追焚き循環往き管４１を通過して浴槽６に流れるものと、第二の湯張り路３４から追焚き循環戻り管４２を通過して浴槽６に流れるものの二手に分かれる。これにより、給湯用熱交換器２０と同時に加熱されている追焚き用熱交換器４０の両側に湯張り運転時の湯が流れ込むことになり、その圧力によって追焚き用熱交換器４０内の水の流れがなくなる。その結果、追焚き用熱交換器４０で加熱された高温の湯が浴槽６側に出ることはなく、仮に入浴者があった場合でも安全に入浴できる。
【００３６】
（暖房運転）
暖房運転の動作について説明する。使用者が遠隔操作装置１１で暖房するよう入力した場合には、制御基板１０は暖房循環ポンプ６４と内部循環ポンプ３０に出力して駆動させる。所定時間経過後、制御基板１０は暖房温度センサー６５で暖房循環回路の液温と、給湯温度センサー２７で内部循環回路の水温を検知する。給湯温度センサー２７の検知水温が制御基板１０内において設定されている暖房時に必要となる設定温度（例えば、７５℃）未満の場合は、制御基板１０は燃焼機２３の燃焼を開始させ、給湯温度センサー２７で設定温度になるように燃焼量を調節しつつ燃焼を継続させる。温水暖房装置５の負荷にもよるが、温水暖房装置５の負荷が燃焼機２３の最大燃焼量に熱効率を掛けた値となる最大暖房負荷未満であれば、暖房循環回路を循環する液温は上昇し、暖房温度センサー６５で所定温度（例えば、７５℃）を検知すれば制御基板１０は燃焼機２３の燃焼を停止させ、内部循環ポンプ３０及び暖房循環ポンプ６４の駆動は燃焼の停止に係わらず継続するよう出力する。
【００３７】
その後、暖房温度センサー６５で暖房循環回路を循環する液温が所定温度よりやや低い温度（例えば、６５℃）未満を検知した場合は、制御基板１０は燃焼機２３を燃焼させる。使用者が遠隔操作装置１１で暖房の中止を入力した場合には、制御基板１０は燃焼機２３の燃焼を停止させ、停止後所定時間経過後に、内部循環ポンプ３０及び暖房循環ポンプ６４の駆動を停止させ、暖房運転を終了させる。
【００３８】
各運転を複合して行う要求がある場合には、複合して運転させることが原則である。ただし、燃焼機２３の能力の上限を超える場合即ち、制御基板１０が各部の温度センサーで所望の温度上昇が見られないと判断した場合には、休止可能な追焚き運転、湯張り運転、暖房運転を一時休止させ、燃焼機２３の燃焼能力に余裕が出てきた場合に再開させる。なお、湯張り運転が他の運転と同時に行われる場合には、追焚き用熱交換器４０は燃焼機２３でどの場合であれ加熱されているので、湯張り運転時の湯が追焚き用熱交換器４０に逆流すると追焚き用熱交換器４０で過熱される。しかしながら、湯張り運転で説明した様に、湯張り路３２に流れる湯は、第一の湯張り路３３から追焚き循環往き管４１を通過して浴槽６に流れるものと、第二の湯張り路３４から追焚き循環戻り管４２を通過して浴槽６に流れるものの二手に分かれる。これにより、給湯用熱交換器２０と同時に加熱されている追焚き用熱交換器４０の両側に湯張り運転時の湯が流れ込むことになり、その圧力によって追焚き用熱交換器４０内の水の流れがなくなる。その結果、複合した運転の場合でも、追焚き用熱交換器４０で加熱された高温の湯が浴槽６側に出ることはなく、仮に入浴者があった場合でも安全に入浴できる。
【実施例２】
【００３９】
図２において示す実施例２の給湯機２は、実施例１の給湯機１の追焚き循環回路４６の循環ポンプ５０の位置を、追焚き用熱交換器４０の下流側から、追焚き用熱交換器４０の上流側に変更したものであり、追焚き機構と湯張り機構が異なるだけであり、その他は給湯機１と同様な構成であるので同一の要素には同一の符号を附して説明を省略する。
【００４０】
（追焚き機構）
追焚き機構を説明すると、追焚き循環往き管４１と追焚き循環戻り管４２は外部の配管を経由して浴槽６に設けられた循環接続金具７に連接されている。また、追焚き循環戻り管４２の途中には、追焚き温度センサー４４、追焚き水流スイッチ４５と循環ポンプ５０が設けられている。これにより、循環ポンプ５０を循環手段として、追焚き用熱交換器４０、追焚き循環往き管４１、循環接続金具７、浴槽６、循環接続金具７、追焚き循環戻り管４２、循環ポンプ５０から、再び追焚き用熱交換器４０に戻る追焚き循環回路４６ａが形成されている。
【００４１】
（湯張り機構）
湯張り機構を説明すると、温水供給部１５の給湯熱交給湯管２２の途中において、湯張り路３２が分岐しており、湯張り路３２も途中で第一の湯張り路３３ａと第二の湯張り路３４ａの二つに分岐している。第一の湯張り路３３ａは、追焚き循環戻り管４２の追焚き用熱交換器４０と循環ポンプ５０の間に連接しており、第二の湯張り路３４ａは、追焚き循環往き管４１の追焚き用熱交換器４０の下流側に連接している。湯張り路３２の途中には、湯張り弁３１、湯張り流量検知器３６および二連逆流防止手段３７が設けられている。第一の湯張り路３３ａの途中には逆流防止手段３５が設けられている。湯張り機構の上流側には給湯熱交給湯管２２に設けられた湯水混合機構３９があり、湯水の混合による温水温度の制御も可能となっている。
【００４２】
追焚き循環回路４６ａには、追焚き循環往き管４１と追焚き循環戻り管４２に第二の湯張り路３４ａと第一の湯張り路３３ａが連接されていることで追焚き循環回路４６ａ中の追焚き用熱交換器４０をバイパスする回路も形成されることになるが、第一の湯張り路３３ａの途中に湯張りの流れの向きとは逆の向きには流さない逆流防止手段３５が設けられていることにより、第一の湯張り路３３ａに循環ポンプ５０の駆動により生じる湯張りの流れの向きとは逆向きの流れが生じても逆流防止手段３５により遮断されており、基本的には追焚き用熱交換器４０をバイパスする回路とはならない。
【００４３】
なお、図２においては、逆流防止手段３５と並列にバイパス管４７を設ける構成としている。これは、湯張り運転が終了し、追焚き運転を開始する場合に、追焚き用熱交換器４０が加熱された状態となっており、追焚き用熱交換器４０の加熱された高温水がそのまま循環接続金具７から浴槽６に入れば、万一浴槽６内に入浴者がいた場合には安全上好ましくない場合もあり、バイパス管４７を設けることで、追焚き用熱交換器４０で加熱された高温水に浴槽６内の湯水を少量混ぜることで、入浴者の安全を図るようにしている。また、バイパス管４７の径は第二の湯張り路３４ａの径より細く、流路抵抗を持たせた回路となっている。
【実施例３】
【００４４】
（概略の構成）
図３において示す実施例３の給湯機３は、実施例１の給湯機１を、外部熱源を必要とする加熱手段で加熱された温水、例えば、太陽熱熱源で加熱された温水、ヒートポンプ式熱源で加熱された温水またはコージェネレーション熱源で加熱された温水の何れか一つで蓄熱された温水を貯湯する貯湯タンクの補助熱源として用いる場合の実施例である。給湯機３は実施例１の給湯機１と同様な構成であるので同一の要素には同一の符号を附して説明を省略する。
【００４５】
ここで、太陽熱熱源、ヒートポンプ式熱源およびコージェネレーション熱源について説明する。
【００４６】
太陽熱熱源による方法とは日射を受けやすい南向きの屋根等に設置した集熱板（ソーラーパネル）内を水や熱媒体（例えば、プロピレングリコール等の不凍液に防錆剤を添加した液）を自然にまたは強制的に循環させることにより、循環する水や熱媒体で貯湯タンク内の水をゆっくりと昇温させて蓄熱するものである。
【００４７】
ヒートポンプ式熱源による方法とは、代替フロンや二酸化炭素等の冷媒を圧縮機で圧縮して凝縮する際に発生する熱を利用するものであり、電気温水器と異なり、冷媒を循環させることで大気の熱を移動することができるので、投入する電気エネルギー以上の熱エネルギーを利用できる熱源のことである。冷凍サイクルの凝縮器で発生する熱を受ける熱交換器内を水や熱媒体を強制的に循環させることにより、循環する水や熱媒体で貯湯タンク内の水をゆっくりと昇温させて蓄熱するものである。
【００４８】
コージェネレーション熱源による方法とは、発電時に発生する熱を利用するものである。コージェネレーション熱源は、一般的にはコージェネレーションシステムと称呼されており、発電方法としては、燃料電池方式やガスや液体燃料等を燃料とするエンジン方式であり、いずれの場合も発電時においては熱が発生し、発電時の熱をコージェネレーション熱源の外部又は内部に設けられ発電部の熱を受ける熱交換器（ウォータージャケット）内を水や熱媒体を強制的に循環させることにより、循環する水や熱媒体で貯湯タンク内の水をゆっくりと昇温させて蓄熱するものである。
【００４９】
（貯湯タンク）
太陽熱熱源、ヒートポンプ式熱源、コージェネレーション式熱源の何れの場合でもゆっくりとした加熱になり貯湯タンク７０と組み合わせて利用される。貯湯タンク７０は、概ね家庭における一日の給湯量を供給できる程度の容量を想定して選定されるので、単位時間当たりに発生する熱は、貯湯タンク７０の容量に比較して小さいものとなることが一般的であり、長時間（例えば５〜８時間）をかけて貯湯タンク７０に蓄熱するようになっている。そのため、貯湯タンク７０の急な加熱はできず、また、貯湯タンク７０の容量により蓄熱可能な温水の量の上限は決まってしまうので、給湯機２を補助熱源として使用する必要がある。
【００５０】
貯湯タンク７０は、強度上及び製造上の利点より一般的に円筒形の形状となっている。貯湯タンク７０には下部にタンク給水管７１が設けられており、減圧弁７８を介して貯湯タンク７０に減圧された水道水が供給されている。なお、図示されてないが、貯湯タンク７０の適当な場所には貯湯タンク７０に過大な圧力が加わった場合に圧力を逃がす逃し弁が設けられている。貯湯タンク７０の上部にはタンク給湯管７２が設けられており、タンク給湯管７２は給湯機３の給湯熱交給水管２１と連接されている。
【００５１】
（貯湯タンクの蓄熱運転）
貯湯タンク７０に蓄えられた水を前記の太陽熱熱源、ヒートポンプ式熱源、コージェネレーション熱源で加熱する方法を説明する。ここで、太陽熱熱源、ヒートポンプ式熱源、コージェネレーション熱源については、総称して外部熱源９０と呼び、外部熱源９０の内部に貯湯タンク７０の水を加熱する外部熱源熱交換器９１を有している場合で説明する。外部熱源熱交換器９１とは太陽熱熱源の場合は集熱板であり、ヒートポンプ式熱源の場合は凝縮器の熱を受ける冷媒と水とを熱交換する熱交換器であり、コージェネレーション熱源の場合は発電部の熱を受ける熱交換器である。なお、外部熱源と貯湯タンクの間を不凍液等の熱媒体で熱交換する場合は貯湯タンク内の下部に熱交換器を設けるものとなる。
【００５２】
外部熱源熱交換器９１と貯湯タンク７０は外部熱源循環ポンプ９２を循環手段として外部熱源循環往き管９３と外部熱源循環戻り管９４で循環回路が形成されている。外部熱源循環ポンプ９２を駆動させて、貯湯タンク７０の下部から貯湯タンク７０内に貯留する水を取り出し、貯湯タンク７０の上部に戻すことで、貯湯タンク７０内部の貯留水は加熱される。外部熱源循環ポンプ９２は外部熱源循環往き管９３の途中に設けられているが、外部熱源循環戻り管９４の途中に設けるようにしても良い。貯湯タンク７０内部の水温は貯湯タンク７０の高さ方向によりばらつきがあるため、貯湯タンク７０の高さ方向の異なる位置に数個のタンク温度センサー７４、７５、７６、７７が設けられ、外部熱源熱交換器９１には循環する水温を検知する外部熱源熱交温度センサー９５が設けられており、これら温度センサーで検知する温度は対応する電圧等の信号により制御基板１０に出力されている。
【００５３】
制御基板１０は、タンク温度センサー７４、７５、７６、７７で貯湯タンク７０の各部の温度と、外部熱源熱交換器９１内の水温を外部熱源熱交温度センサー９５で常時検知している。太陽熱を受けること、圧縮機の駆動、発電の開始により外部熱源熱交換器９１内の水温が上昇し、貯湯タンク７０内の水を外部熱源循環ポンプ９２で循環させても外部熱源熱交換器９１で昇温可能な場合、例えば、外部熱源熱交換器９１の水温と貯湯タンク７０内の水温との温度差が所定の温度差以上あると制御基板１０が判断した場合には、外部熱源循環ポンプ９２で循環させる。その後、外部熱源熱交換器９１の水温と貯湯タンク７０内の水温との温度差が所定の温度差未満であることを制御基板１０が判断すると、外部熱源循環ポンプ９２に制御基板１０が駆動電力を出力することを中止し、外部熱源循環ポンプ９２は停止する。外部熱源循環ポンプ９２の駆動が継続することにより、貯湯タンク７０の内部においては、貯湯タンク７０の下部に貯留する水が温められて貯湯タンク７０に戻されることになる。そして、貯湯タンク７０内部に貯留する湯水は貯湯タンク７０内の上部から順に昇温し、貯湯タンク７０に貯留する湯水全体が昇温する。そして、貯湯タンク７０の内部においては貯湯タンク７０の上部から加熱された温水が下方に向かって成層貯湯方式で貯留される。
【００５４】
（給湯運転）
外部の温水水栓４が開くことにより給湯運転は開始する。貯湯タンク７０には、減圧弁７８により減圧された給水圧が加わっており、これが、蓄熱運転により加熱された貯湯タンク７０内部の温水は、貯湯タンク７０、タンク給湯管７２、給湯熱交給水管２１、給湯用熱交換器２０、給湯熱交給湯管２２を経由して温水水栓４に供給される。この場合に貯湯タンク７０内の貯留水の水温をタンク温度センサー７４で検知し、この検知した水温を基に燃焼機２３で加熱する必要の有無を制御基板１０が判断する。なお、タンク給水管７１の途中で給水分岐管３８が分岐して、給湯熱交給湯管２２の途中の温水混合機構３９に連通しており、温水混合機構３９で温水と水を混合させることができ、制御基板１０の制御により給湯温度を調節できる機構も備えている。
【００５５】
この判断の一例としては、使用者が遠隔操作装置１１で設定した設定温度を６０℃とした場合に、この設定温度の６０℃からタンク温度センサー７４で検知する水温が７℃以上高い場合（６７℃以上ある場合）には、温水供給部１５の燃焼機２３の燃焼は開始しないと制御基板１０は判断する。そして、温水混合機構３９へは貯湯タンク７０内の温水がそのまま供給される。
また、タンク温度センサー７４で検知する水温が設定温度の６０℃から４℃高い温度未満となった場合（６４℃未満になった場合）には、制御基板１０は温水供給部１５の燃焼機２３の燃焼を開始するように出力し、使用者側からの設定温度６０℃になるように、配管における放熱ロスも考慮して設定温度よりやや高い温度を燃焼機２３の目標温度とし、給湯温度センサー２７で給湯熱交給湯管２２付近の水温を検知して燃焼機２３の燃焼量と温水混合機構３９を調節することで、６０℃の温水を温水水栓４へ供給する。
【００５６】
温水栓４が開けられることにより給湯流量検知器２４が湯水の流を検知する場合には、制御基板１０は内部循環ポンプ３０を駆動するように出力する。温水水栓４が閉じられたことにより給湯流量検知器２４が湯水の流を検知しなくなった場合には、所定時間遅らせて内部循環ポンプ３０を停止させる。なお、温水水栓４が閉じられた場合に、内部循環ポンプ３０は駆動している為、給湯流量検知器２４で検知される流量変化は微少となり給湯流量検知器２４の精度を上げる必要があるので、給湯熱交給水管２１の内部循環戻り管２９と連接する箇所より上流側に、水流スイッチや水量センサーを設けて、これにより温水水栓４が閉じられたことを検知させても良い。
【００５７】
（暖房運転及び風呂追焚き運転）
実施例２の暖房運転及び風呂追焚き運転の動作は実施例１と同様であるので説明を省略する。
【００５８】
（湯張り運転）
湯張り運転の動作について説明する。使用者が遠隔操作装置１１で湯張り運転をするよう入力した場合には、制御基板１０は湯張り弁３１を開くように制御する。貯湯タンク７０には、減圧弁７８により減圧された給水圧が加わっており、この給水圧が、貯湯タンク７０、タンク給湯管７２、給湯熱交給水管２１、給湯用熱交換器２０、給湯熱交給湯管２２、湯張り路３２の途中に設けられた湯張り弁３１まで加わっている。蓄熱運転により貯湯タンク７０内部の加熱された温水は、湯張り弁３１が開くことで湯張り弁３１を通過して湯張り路３２に流れる。この場合に貯湯タンク７０内の貯留水の水温をタンク温度センサー７４で検知し、この検知した水温を基に燃焼機２３で加熱する必要の有無を制御基板１０が判断する。なお、湯張り機構の上流側には給湯熱交給湯管２２に設けられた湯水混合機構３９があり、湯水の混合による温水温度の制御も可能となっている。
【００５９】
この判断方法の一例としては、使用者が遠隔操作装置１１で設定した設定温度を４３℃とした場合に、この設定温度の４３℃からタンク温度センサー７４で検知する水温が７℃以上高い場合（５０℃以上ある場合）には、温水供給部１５の燃焼機２３の燃焼は開始しないと制御基板１０は判断する。そして、湯張り弁３１を通過する温水は貯湯タンク７０内で加熱された温水を温水混合機構３９で調整されて流れる。また、タンク温度センサー７４で検知する水温が設定温度の４３℃から４℃高い温度未満となった場合（４７℃未満になった場合）には、制御基板１０は温水供給部１５の燃焼機２３の燃焼を開始するように出力し、使用者側からの設定温度４３℃になるように、配管における放熱ロスも考慮して設定温度よりやや高い温度を燃焼機２３の目標温度とし、給湯温度センサー２７で給湯熱交給湯管２２付近の水温を検知して燃焼機２３の燃焼量を調節することで、４３℃のお湯として湯張り弁３１へ供給する。
【００６０】
湯張り弁３１が開けられることにより給湯流量検知器２４が湯水の流れを検知する場合には、制御基板１０は内部循環ポンプ３０を駆動するように出力する。湯張り弁３１が閉じられたことにより給湯流量検知器２４が湯水の流を検知しなくなった場合には、所定時間遅らせて内部循環ポンプ３０を停止させる。なお、湯張り弁３１が閉じられた場合に、内部循環ポンプ３０は駆動している為、給湯流量検知器２４で検知される流量変化は微少となり給湯流量検知器２４の精度を上げる必要があるので、湯張り弁３１を閉じる制御を行ったことで湯張り弁３１が閉じられたとみなす制御や、給湯熱交給水管２１の内部循環戻り管２９と連接する箇所より上流側に、水流スイッチや水量センサーを設けて、これにより湯張り弁３１が閉じられたことを検知させても良い。
【００６１】
なお、湯張り路３２に流れる湯は、第一の湯張り路３３から追焚き循環往き管４１を通過して浴槽６に流れるものと、第二の湯張り路３４から追焚き循環戻り管４２を通過して浴槽６に流れるものの二手に分かれる。これにより、給湯用熱交換器２０と同時に加熱されている追焚き用熱交換器４０の両側に湯張り運転時の湯が流れ込むことになり、その圧力によって追焚き用熱交換器４０内の水の流れがなくなる。その結果、追焚き用熱交換器４０で加熱された高温の湯が浴槽側に出ることはなく、仮に入浴者があった場合でも安全に入浴できる。
【００６２】
各運転を複合して行う要求がある場合には、複合して運転させることが原則である。ただし、貯湯タンク７０の蓄熱量が少なく温水供給部１５での補助加熱が必要となって燃焼機２３が連続して燃焼する場合で、燃焼機２３の能力の上限を超える場合には、制御基板１０で各部の温度センサーで所望の温度上昇が見られないと判断した場合には、休止可能な追焚き運転、湯張り運転、暖房運転を一時休止させ、燃焼機２３の燃焼能力に余裕が出てきた場合に再開させる。なお、湯張り運転が他の運転と同時に行われる場合で温水供給部１５での補助加熱が同時に行われる場合には、追焚き用熱交換器４０は燃焼機２３で加熱されているので、湯張り運転時の湯が追焚き用熱交換器４０に逆流すると追焚き用熱交換器４０で過熱する。しかしながら、湯張り運転で説明した様に、湯張り路３２に流れる湯は、第一の湯張り路３３から追焚き循環往き管４１を通過して浴槽６に流れるものと、第二の湯張り路３４から追焚き循環戻り管４２を通過して浴槽６に流れるものの二手に分かれる。これにより、給湯用熱交換器２０と同時に加熱されている追焚き用熱交換器４０の両側に湯張り運転時の湯が流れ込むことになり、その圧力によって追焚き用熱交換器４０内の水の流れがなくなる。その結果、複合した運転の場合でも、追焚き用熱交換器４０で加熱された高温の湯が浴槽側に出ることはなく、仮に入浴者があった場合でも安全に入浴できる。
【００６３】
以上、本発明について、実施例に基づき説明してきたが、本発明は何らこれらの実施例の構成に限定するものではない。例えば、実施例３においては給湯機３と貯湯タンク７０を分割した例を説明しているが、給湯機３と貯湯タンク７０を一体に内蔵している場合でも同様の効果が得られる。また、逆流防止手段３５は逆止弁として説明しているが、逆流を防止できる効果を有する電動弁を用いることによっても可能である。この電動弁を用いる場合には、電動弁に開度を調整して流量調節機能を持たせることにより、バイパス管４７を不要とすることも可能となる。
【符号の説明】
【００６４】
１、２、３：給湯機
５：温水暖房装置
６：浴槽
７：循環接続金具
２０：給湯用熱交換器
２３：燃焼機
３０：内部循環ポンプ
３１：湯張り弁
３２：湯張り路
３３、３３ａ：第一の湯張り路
３４、３４ａ：第二の湯張り路
３５：逆流防止手段
４０：追焚き用熱交換器
４１：追焚き循環往き管
４２：追焚き循環戻り管
５０：循環ポンプ
６０：暖房用熱交換器
７０：貯湯タンク
９０：外部熱源
【図１】
0005667856.tif 000002
【図２】
0005667856.tif 000003
【図３】
0005667856.tif 000004